(57)【要約】【課題】  目立て作業を容易に行うことができるチェーンソーを提供する。【解決手段】  ソーチェーン５を研磨する為の研磨部材８と、研磨部材８をソーチェーン５に押圧するための操作部２３を有し、操作部２３はリアハンドル３を保持する手の親指で操作可能な範囲に設けられる。また、研磨装置操作部材２０は特に、ハンドル３の上方から、ハンドル３よりガイドバー４と反対側にかけての範囲に設けられているとともに、研磨装置操作部材２０の操作を規制するための規制手段と、規制手段を解除する為の解除手段とを有し、研磨装置操作２０の操作と解除手段の操作が独立している。【選択図】図４
2017013162.tif 000002
【特許請求の範囲】
【請求項１】
動力源を内蔵する本体と、前記本体に保持されたガイドバーと、前記ガイドバー外周に駆動可能に配置されたソーチェーンと、前記動力源により回転し前記ソーチェーンを駆動させるスプロケットと、前記動力源の回転を任意に調整可能にするためのスロットルレバーと、前記スロットルレバーを内包するハンドルと、駆動する前記ソーチェーンに押圧することで前記ソーチェーンのカッタ刃を研磨するための研磨部材を本体に備え、前記研磨部材を前記ソーチェーンに対して接触位置と非接触位置に任意に移動させるための研磨装置操作部を有するチェーンソーであって、前記研磨装置操作部が、前記ハンドルを保持する手の親指で操作可能な範囲に設けられていることを特徴とするチェーンソー。
【請求項２】
前記研磨装置操作部が、前記ハンドルの上方から前記ガイドバーと反対側にかけての範囲に設けられていることを特徴とする請求項１に記載のチェーンソー。
【請求項３】
前記研磨装置操作部が非操作時には、前記研磨部材が前記ソーチェーンに対して非接触となる位置に保持されていることを特徴とする請求項１または請求項２に記載のチェーンソー。
【請求項４】
前記研磨装置操作部と前記研摩部材とが弾性的に接続されていることを特徴とする請求項１から請求項３のうち何れか一項に記載のチェーンソー。
【請求項５】
前記ガイドバーの平面が水平面に対して垂直になるように前記本体を前記水平面に置いたときに、前記研磨装置操作部が前記ハンドルの上方位置に配置されていることを特徴とする請求項１から請求項４のうち何れか一項に記載のチェーンソー。
【請求項６】
前記研磨装置操作部が、前記ハンドルより前記ガイドバーと反対側に位置することを特徴とする請求項１から請求項４のうち何れか一項に記載のチェーンソー。
【請求項７】
前記研磨装置操作部の操作を規制するための規制手段と、前記規制手段を解除する為の解除手段とを有し、前記研磨装置操作の操作と前記解除手段の操作の方向が独立していることを特徴とする請求項１から６に記載のうち何れか一項に記載のチェーンソー。
【請求項８】
前記解除手段の操作は、前記研磨装置操作部を操作する指で操作可能なことを特徴とする請求項７に記載のチェーンソー。
【請求項９】
動力源を内蔵する本体と、前記本体に保持されたガイドバーと、前記ガイドバー外周に駆動可能に配置されたソーチェーンと、前記動力源により回転し前記ソーチェーンを駆動させるスプロケットと、前記動力源の回転を任意に調整可能にするためのスロットルレバーと、前記スロットルレバーを内包するハンドルと、駆動する前記ソーチェーンに押圧することで前記ソーチェーンのカッタ刃を研磨するための研磨部材を本体に備え、前記研磨部材を前記ソーチェーンに対して接触位置と非接触位置に任意に移動させるための研磨装置操作部を有するチェーンソーであって、前記研磨装置操作部が、前記ハンドルの上面、前記ハンドルの前記ガイドバーと反対側の側面、前記本体の前記ハンドル側における前記ハンドルの上方、前記本体の前記ハンドル側における前記ハンドルの前記ガイドバーと反対側、のいずれかに設けられることを特徴とするチェーンソー。
【請求項１０】
動力源を内蔵する本体と、前記本体に保持されたガイドバーと、前記ガイドバー外周に駆動可能に配置されたソーチェーンと、前記動力源により回転し前記ソーチェーンを駆動させるスプロケットと、前記動力源の回転を任意に調整可能にするためのスロットルレバーと、前記スロットルレバーを内包するハンドルと、駆動する前記ソーチェーンに押圧することで前記ソーチェーンのカッタ刃を研磨するための研磨部材を本体に備え、前記研磨部材を前記ソーチェーンに対して接触位置と非接触位置に任意に移動させるための研磨装置操作部を有するチェーンソーであって、前記研磨装置操作部の操作を規制するための規制手段と、前記規制手段を解除する為の解除手段とを有し、前記研磨装置操作の操作と前記解除手段の操作が独立していることを特徴とするチェーンソー。
【発明の詳細な説明】
【技術分野】
【０００１】
本発明は、ガイドバーの周縁部に沿って走行するソーチェーンによって切断作業を行うチェーンソーに関するものである。
【背景技術】
【０００２】
チェーンソーは、本体に支持されたガイドバーの周囲を駆動するソーチェーンにより木材などを切断するものであり、ソーチェーンを駆動する為の動力源として電動モータや２サイクルエンジンなどを用いている。
【０００３】
チェーンソーを用いて木材を切断するとソーチェーンの刃が鈍くなり切断能力が低下するため、目立てと呼ばれるソーチェーンの刃を研ぐ作業が必要となる。ソーチェーンの目立ての方法は、特許文献１のように丸やすりを用いた手作業によるものや、専用の目立て機を用いるなど様々ある。丸やすりによる手作業の場合、多数の刃を研ぐ必要があり時間が掛かる。目立て機は電動により丸やすりを駆動するものが一般的であるが、チェーンソーを用いる場所は山林が多く電力を確保することが難しい。また、目立て機を作業現場に持ち運ぶ必要があり、煩雑となっていた。
【先行技術文献】
【特許文献】
【０００４】
【特許文献１】実開昭６０−１１９５０４号公報
【発明の概要】
【発明が解決しようとする課題】
【０００５】
上述より、山林でも短時間で目立てを可能とするため、チェーンソー本体に砥石を内蔵し、駆動中のソーチェーンに砥石を接触させることで目立てを行う目立て装置付きのチェーンソーが提案されている。しかしながら、提案された目立て装置付きのチェーンソーにおいては、砥石を移動させるための操作部が、砥石の近傍であるソーチェーン側に配置されていた。通常、チェーンソーにおいては、作業者側への切断物等の飛散等を抑制するため、フロントハンドルの左右方向の中央付近を左手で握り、リヤハンドルを右手で握った状態で最適なバランスとなるよう設計されている。また、フロントハンドルだけを保持した場合でもガイドバーが極端に傾かないように、重心位置が前後方向でフロントハンドル側になるように設計されている。上記従来の構造の場合、本体の重心位置に近いフロントハンドルを保持する手の人差し指（あるいは中指も含む）でレバーを操作しなければならず、操作する指以外で本体を十分に安定保持させた状態でレバー操作をしなければならないため、操作性に難があった。また、チェーンソーのソーチェーン側に操作部が位置しているため、木材の切断作業中に木の枝などによりレバーが押されないよう、十分な注意を払う必要があり、作業性が悪化していた。
【０００６】
本発明の目的は、上記問題に鑑みてなされたものであり、ソーチェーンの研磨砥石を備えたチェーンソーにおいて、目立ての操作性を向上させるとともに、木材切断作業中に意図せず目立て状態となることを抑制したチェーンソーを提供することを目的とする。
【課題を解決するための手段】
【０００７】
研磨装置操作部が、ハンドルを保持する手の親指で操作可能な範囲に設けられる構造とする。
【発明の効果】
【０００８】
本発明に係るチェーンソーは、木材切断作業中の意図しない目立て作業を防止でき、さらに目立て作業を簡単な操作で行うことができる。
【図面の簡単な説明】
【０００９】
【図１】本発明の実施の第１の形態となるチェーンソーの側面図である。
【図２】本発明の実施の第１の形態となるチェーンソーの研磨装置操作部を示す部分拡大図である。
【図３】本発明の実施の第１の形態となるチェーンソーの研磨装置操作部を操作し、目立てを行っている状態を示す部分拡大図である。
【図４】本発明の実施の第１の形態となるチェーンソーの研磨装置操作部を操作し、目立てを行っている状態を示す側面図である。
【図５】本発明の実施の第１の形態となるチェーンソーの上面図である。
【図６】本発明の実施の第２の形態となるチェーンソーの研磨装置操作部の位置を示す側面図である。
【図７】本発明の実施の第２の形態となるチェーンソーの研磨装置操作部の位置を示す上面図である。
【図８】本発明の実施の第３の形態となるチェーンソーの研磨装置操作部の位置を示す側面図である。
【図９】本発明の実施の第４の形態となるチェーンソーの研磨装置操作部の位置を示す上面図である。
【発明を実施するための形態】
【００１０】
以下、本発明の実施例を図面に基づいて説明する。なお、以下の図において、同一の部分には同一の符号を付し、繰り返しの説明は省略する。
【００１１】
図１は、本実施の第１の形態に係るチェーンソーを示す側面図である。図１において、チェーンソー本体１にはフロントハンドル２とリアハンドル３が設けられている。ガイドバー４はチェーンソー本体１に支持されている。ガイドバー４の外周面にはソーチェーン５が摺動可能に配置されている。ソーチェーン５には木材等を切断する為のカッタ刃５ａが複数配置されている。ソーチェーン５は、スプロケット６によりガイドバー４の外周を駆動する。スプロケット６はチェーンソー本体１に内蔵された図示せぬ電動モータやエンジン等の動力源に接続され、スプロケット６の中心軸を中心に図１の時計回りに回転する。
リアハンドル３には動力源の回転速度を調整するためのスロットルレバー７が配置されている。
【００１２】
スプロケット６の外周面上のソーチェーン５近傍にはソーチェーン５のカッタ刃５ａを研磨するための砥石８と砥石８を保持する為のホルダ９が配置されている。ホルダ９はチェーンソー本体１に回転軸９ａを軸として回転可能に保持されており、スプリング１０によって砥石８とソーチェーン５が接触しない状態で保持されるよう、図面における時計回り（右回り）に付勢されている。ホルダ９には、後述する研磨装置操作部材２０で砥石８を遠隔で操作するためのリンク部材であるワイヤー１１の一端を接続する接続穴９ｂが回転軸９ａから偏芯する位置に設けられている。スロットルレバー７の図１の上方には研磨装置操作部材２０がリアハンドル３に配置されている。研磨装置操作部材２０は回転軸２１を中心として回動可能にリアハンドル３に保持されている。研磨装置操作部材２０にはワイヤー１１のもう一端を接続するための接続穴２２が回転軸２１から偏芯する位置に設けられ、作業者が研磨装置操作部材２０を操作するための操作部２３（研磨装置操作部）がリアハンドル３の外壁の上面から突出してある。研磨装置操作部材２０には爪２４があり、リアハンドル３の外壁の内面に形成された爪３ａと係合している。爪２４と爪３ａとが接触する面とは反対側には、斜面３ｂと斜面２４ａが形成されている。リアハンドル３には壁３ｃが操作部２３を中心に両側に設けられている。
【００１３】
次に図２、図３にて研磨装置操作部材２０について詳細に説明を行う。図２に示す通り、作業者が操作部２３を押し込むことで爪３ａと爪２４の係合が外れる。爪２４と操作部２３の連結する連結部２５と接続穴２２の外周面２６が接触することで、操作部２３の押込み量の規制を行っている。研磨装置操作部材２０は、例えば樹脂等の変形し易い材料により形成されている。さらに、操作部２３と回転軸２１との間には、弾性変形し易くするためのバネ構造２７が設けられており、図２の状態で操作部２３の押し込む力を解放すれば、再び爪３ａと爪２４が係合する構造となっている。図３は図２の状態から、操作部２３を本体後方に引いた状態を示す。操作部２３を後方に引くことでワイヤー１１を引っ張ることが出来る。ワイヤー１１を引くことにより、目立て作業が行われる。
【００１４】
図４は研磨装置操作部材２０を操作し、目立て作業を行っている状態を示す図であり、研磨装置操作部材２０が図３の位置における、砥石８とソーチェーン５の位置関係を示す。研磨装置操作部材２０の操作部２３を図示の位置へ操作することでワイヤー１１が引かれ、ホルダ９が回動しホルダ９に保持された砥石８がソーチェーン５のカッタ刃５ａに接触する。作業者がスロットルレバー７を操作し、ソーチェーン５を駆動させた状態で、研磨装置操作部材２０の操作部２３を操作することにより、カッタ刃５ａの目立てを行うことが出来る。作業者が操作部２３を離せば、ホルダ９はスプリング１０により初期位置に戻る。さらに研磨装置操作部材２０もホルダ９に接続されたワイヤーにより引かれることで回動し、爪２４の斜面２４ａがリアハンドル３の斜面３ｂを乗り上げることで、初期位置へ戻ることになる。
【００１５】
図５は本発明の第１の実施形態に係るチェーンソーの上面図である。リアハンドル３には壁３ｃが操作部２３を中心に両側に設けられており、操作部２３への誤接触を防止する。チェーンソー本体１の内部には、エンジン１３が設けられている。エンジン１３はシリンダ１３ａに、エアクリーナ１３ｂ、図示しないマフラ等が取り付けられるとともに、図示しないクランクケースから延出するクランク軸の動力により、スプロケット６を駆動する。エンジン１３のスプロケット６、ガイドバー４が設けられる側には、サイドカバー１２が着脱自在に取り付けられ、各部品を覆っている。
【００１６】
本発明の第１の実施形態によれば、研磨装置操作部材２０がリアハンドル３のスロットルレバー７の上方に配置されているため、リアハンドル３を保持する親指により研磨装置操作部材２０を操作可能となり、スロットルレバー７の操作と研磨装置の操作が同時に行え、作業性が向上する。また、研磨装置操作部材２０の操作部２３の操作を、押し込む動作と引く動作の少なくとも２つの動作にすることで意図しない誤操作を抑制できる。言い換えれば、操作部２３は、押し込む動作による下方向と、引く動作による後方向の２つの異なる操作方向を独立して備えており、順番に操作されることにより、研磨装置が作動する。尚、目立て作業を開始するための動作は２つ以上でもよく、また、異なる部品により例えば操作部２３のロックを解除する操作部を別途設けるようにしてもよい。本実施の形態によれば、２つの動作が同一部材の操作部２３に備えられるため、部品点数を削減できるとともに、親指のみでの操作が容易となり作業性も向上する。研磨装置操作部材２０は、また、研磨装置操作部材２０はバネ構造２７を有し、操作部２０と砥石８とが弾性的に接続されていることから、目立て作業中に砥石８とソーチェーン５が接触することによる振動等が作業者に伝達されることを抑制し、安定した操作を行うことができる。
【００１７】
図６、図７は本発明の第２の実施形態に係るチェーンソーの図であり、図６が側面図、図７が上面図である。研磨装置操作部３０の操作部３３は、リアハンドル３の側方のスロットルレバー７の近傍に設けられており、操作部３３は、エアクリーナ１３ｂを収容する壁であって、チェーンソー本体１の後端面１ａに設けられた開口１ｂを貫通して突出して設けられており、リアハンドル３よりガイドバー４の平面側とは反対側の位置に配置されている。本実施の形態によれば、操作部３３はリアハンドル３よりガイドバー４の平面側とは反対側であって、スロットルレバー７近傍に配置されているため、作業者の右手親指で容易に操作が可能となる。
【００１８】
図８は本発明の第３の実施形態に係るチェーンソーの部分側面図であり、研磨装置操作部の操作部４３は、リアハンドル３のガイドバー４の平面側とは反対側の側面から突出して設けられている。
【００１９】
図９は本発明の第４の実施形態に係るチェーンソーの部分上面図であり、研磨装置操作部の操作部５３は、チェーンソー本体１の後端面１ａのリアハンドル３上方から後方側に突出して設けられている。
【００２０】
本発明のエンジン作業機では、上述して実施の形態に限定されず、特許請求の範囲に記載された範囲で種々の改良や変形が可能である。
【符号の説明】
【００２１】
１      チェーンソー本体
１ａ    後端面
１ｂ    開口
２      フロントハンドル
３      リアハンドル
３ａ    爪
３ｂ    斜面
３ｃ    壁
４      ガイドバー
５      ソーチェーン
５ａ    カッタ刃
６      スプロケット
７      スロットルレバー
８      砥石
９      ホルダ
９ａ    回転軸
９ｂ    接続穴
１０    スプリング
１１    ワイヤー
１２    サイドカバー
１３    エンジン（動力源）
１３ａ  シリンダ
１３ｂ  エアクリーナ
２０    研磨装置操作部材
２１    回転軸
２２    接続穴
２３    操作部（研磨装置操作部）
２４    爪
２４ａ  斜面
２５    連結部
２６    外周面
２７    バネ構造
３３    操作部
４３    操作部
５３    操作部
【図１】
2017013162.tif 000003
【図２】
2017013162.tif 000004
【図３】
2017013162.tif 000005
【図４】
2017013162.tif 000006
【図５】
2017013162.tif 000007
【図６】
2017013162.tif 000008
【図７】
2017013162.tif 000009
【図８】
2017013162.tif 000010
【図９】
2017013162.tif 000011